(57)【要約】【課題】不必要なブレーカ動作を防止する空調機の制御装置を提供する。【解決手段】制御装置４は、容量が可変のインバータ圧縮機１１を搭載した空調機１の制御装置であって、マイコン５を備えている。マイコン５は、インバータ圧縮機１１を含む冷媒回路１０の冷媒状態に基づいて空調機１を制御する。また、マイコン５は、インバータ圧縮機１１の運転周波数を上昇させる際に、運転周波数を上昇させた場合の空調機１における総消費電流の予測値を演算し、その予測値と予め設定されている総消費電流上限値とを比較して運転周波数上昇の許可又は不許可を決定する。【選択図】図３
2008128551.tif 000002
【特許請求の範囲】
【請求項１】
容量が可変のインバータ圧縮機（１１）を搭載した空調機（１）の制御装置であって、
冷媒状態に基づいて前記空調機（１）を制御するマイコン（５）を備え、
前記マイコン（５）は、前記インバータ圧縮機（１１）の運転周波数を上昇させる際に、前記運転周波数を上昇させた場合の前記空調機（１）における総消費電流の予測値を演算し、前記予測値と予め設定されている前記総消費電流の上限値とを比較して前記運転周波数の上昇の許可又は不許可を決定する、
制御装置（４）。
【請求項２】
前記空調機（１）は、１つ又は複数の定容量圧縮機（１１１）をさらに搭載し、
前記マイコン（５）は、前記定容量圧縮機（１１１）を起動させる際に、前記定容量圧縮機（１１１）を起動させた場合の前記空調機（１）における総消費電流の予測値を演算し、前記予測値と予め設定されている前記総消費電流の上限値とを比較して前記定容量圧縮機（１１１）の起動の許可又は不許可を決定する、
請求項１に記載の制御装置（４）。
【請求項３】
複数の定容量圧縮機（１１１）を搭載した空調機（１）の制御装置であって、
冷媒状態に基づいて前記空調機（１）を制御するマイコン（５）を備え、
前記マイコン（５）は、１つの前記定容量圧縮機（１１１）が運転されているときに他の前記定容量圧縮機（１１１）を起動させる際に、他の前記定容量圧縮機（１１１）を起動させた場合の前記空調機（１）における総消費電流の予測値を演算し、前記予測値と予め設定されている前記総消費電流の上限値とを比較して他の前記定容量圧縮機（１１１）の起動の許可又は不許可を決定する、
制御装置（４）。
【請求項４】
前記マイコン（５）は、前記運転周波数を上昇させた場合の前記冷媒状態の特性値変化量を求めた後、前記特性値変化量から前記インバータ圧縮機（１１）のインバータ電流を演算し、前記インバータ電流の演算値から前記総消費電流の予測値をさらに演算する、
請求項１に記載の制御装置（４）。
【請求項５】
前記マイコン（５）は、前記定容量圧縮機（１１１）を起動させた場合の前記冷媒状態の特性値変化量を求めた後、前記特性値変化量から前記定容量圧縮機（１１１）の電流を演算し、前記電流の演算値から前記総消費電流の予測値をさらに演算する、
請求項２又は請求項３に記載の制御装置（４）。
【請求項６】
前記マイコン（５）は、前記特性値変化量を求める関係式を有している、
請求項４又は請求項５に記載の制御装置（４）。
【請求項７】
前記特性値変化量を予め記憶しているメモリ（６）をさらに備えている、
請求項４又は請求項５に記載の制御装置（４）。
【請求項８】
前記冷媒状態の特性値は、前記冷媒の高圧側圧力および低圧側圧力を含む、
請求項４又は請求項５に記載の制御装置（４）。
【請求項９】
前記総消費電流の上限値が、前記空調機（１）に設けられているブレーカ（７１）の作動値である、
請求項１から請求項３のいずれか１項に記載の制御装置（４）。
【発明の詳細な説明】
【技術分野】
【０００１】
本発明は、空調機の制御装置、特に容量が可変のインバータ圧縮機を備えた空調機の制御装置に関する。
【背景技術】
【０００２】
従来、インバータ圧縮機を備えた空調機には、消費電流が規定値以上にならないように能力制限を行うものや、空調機の消費電流と他の機器の消費電流とを合算した値が、屋内配電盤のブレーカ容量を超えないように能力制限するものがある（例えば、特許文献１参照）。
【特許文献１】特開昭６３−０４１７５４号公報
【発明の開示】
【発明が解決しようとする課題】
【０００３】
上記のような空調機は、消費電流が規定値又はブレーカ容量に近接していても、段階的な能力制限を設定して運転させようとするので、頻繁にブレーカが動作して運転が不安定になる可能性が高い。
【０００４】
本発明の課題は、不必要なブレーカ動作を防止することができる空調機の制御装置を提供することにある。
【課題を解決するための手段】
【０００５】
第１発明に係る制御装置は、容量が可変のインバータ圧縮機を搭載した空調機の制御装置であって、マイコンを備えている。マイコンは、冷媒状態に基づいて空調機を制御する。また、マイコンは、インバータ圧縮機の運転周波数を上昇させる際に、運転周波数を上昇させた場合の空調機における総消費電流の予測値を演算し、その予測値と予め設定されている総消費電流の上限値とを比較して運転周波数の上昇の許可又は不許可を決定する。
【０００６】
この制御装置では、総消費電流の予測値が上限値を超える場合は、運転周波数の上昇が禁止される。このため、消費電流の上昇が抑制され、空調機の不要な停止が防止される。
【０００７】
第２発明に係る制御装置は、第１発明に係る制御装置であって、１つ又は複数の定容量圧縮機をさらに搭載している。マイコンは、定容量圧縮機を起動させる際に、定容量圧縮機を起動させた場合の空調機における総消費電流の予測値を演算し、その予測値に基づいて定容量圧縮機の起動の許可又は不許可を決定する。
【０００８】
この制御装置では、総消費電流の予測値が上限値を超える場合は、定容量圧縮機の起動が禁止される。このため、不必要なブレーカ動作が抑制され、空調機の運転が安定する。
【０００９】
第３発明に係る制御装置は、複数の定容量圧縮機を搭載した空調機の制御装置であって、マイコンを備えている。マイコンは、冷媒状態に基づいて空調機を制御する。また、マイコンは、１つの定容量圧縮機が運転されているときに他の定容量圧縮機を起動させる際に、他の定容量圧縮機を起動させた場合の空調機における総消費電流の予測値を演算し、その予測値と予め設定されている総消費電流の上限値とを比較して他の定容量圧縮機の起動の許可又は不許可を決定する。
【００１０】
この制御装置では、総消費電流の予測値が上限値を超える場合は、他の定容量圧縮機の起動が禁止される。このため、不必要なブレーカ動作が抑制され、空調機の運転が安定する。
【００１１】
第４発明に係る制御装置は、第１発明に係る制御装置であって、マイコンが、運転周波数を上昇させた場合の冷媒状態の特性値変化量を求めた後、特性値変化量からインバータ圧縮機のインバータ電流を演算し、インバータ電流の演算値から総消費電流の予測値をさらに演算する。
【００１２】
この制御装置では、マイコンが、冷媒状態の特性値からインバータ電流を演算するので、総消費電流の予測値の精度が高まる。このため、運転周波数の上昇の許可、不許可が正しく決定される。
【００１３】
第５発明に係る制御装置は、第２発明又は第３発明に係る制御装置であって、マイコン５が、定容量圧縮機を起動させた場合の冷媒状態の特性値変化量を求めた後、特性値変化量から定容量圧縮機の電流を演算し、電流の演算値から総消費電流の予測値をさらに演算する。
【００１４】
この制御装置では、マイコンが、冷媒状態の特性値から定容量圧縮機の電流を演算するので、総消費電流の予測値の精度が高まる。このため、定容量圧縮機の起動の許可、不許可が正しく決定される。
【００１５】
第６発明に係る制御装置は、第４発明又は第５発明に係る制御装置であって、マイコンが、前記特性値変化量を求める関係式を有している。この制御装置では、総消費電流の予測値の精度が高い。
【００１６】
第７発明に係る制御装置は、第４発明又は第５発明に係る制御装置であって、特性値変化量を予め記憶しているメモリをさらに備えている。この制御装置では、総消費電流の予測値の精度が高い。
【００１７】
第８発明に係る制御装置は、第４発明又第５発明に係る制御装置であって、冷媒状態の特性値が、冷媒回路の高圧側圧力、および低圧側圧力を含んでいる。
【００１８】
この制御装置では、高圧側圧力、低圧側圧力は、圧力センサによる直接計測と、温度センサによる間接計測とが可能であり、空調機に既存のセンサが利用される。このため、コストが低減される。
【００１９】
第９発明に係る制御装置は、第１発明から第３発明のいずれか１つに係る制御装置であって、総消費電流の上限値が、空調機に設けられているブレーカの作動値である。
【００２０】
この制御装置では、ブレーカによる遮断が防止されるので、空調機の不要な停止が防止され運転が安定する。
【発明の効果】
【００２１】
第１発明に係る制御装置では、総消費電流の予測値が上限値を超える場合は、運転周波数の上昇が禁止される。このため、消費電流の上昇が抑制され、空調機の不要な停止が防止される。
【００２２】
第２発明に係る制御装置では、総消費電流の予測値が上限値を超える場合は、定容量圧縮機の起動が禁止される。このため、不必要なブレーカ動作が抑制され、空調機の運転が安定する。
【００２３】
第３発明に係る制御装置では、総消費電流の予測値が上限値を超える場合は、他の定容量圧縮機の起動が禁止される。このため、不必要なブレーカ動作が抑制され、空調機の運転が安定する。
【００２４】
第４発明に係る制御装置では、マイコンが、冷媒状態の特性値からインバータ電流を演算するので、総消費電流の予測値の精度が高まる。このため、運転周波数上昇の許可、不許可が正しく決定される。
【００２５】
第５発明に係る制御装置では、マイコンが、冷媒状態の特性値から定容量圧縮機の電流を演算するので、総消費電流の予測値の精度が高まる。このため、定容量圧縮機の起動の許可、不許可が正しく決定される。
【００２６】
第６発明と第７発明とに係る制御装置では、総消費電流の予測値の精度が高い。
【００２７】
第８発明に係る制御装置では、高圧側圧力、低圧側圧力は、圧力センサによる直接計測と、温度センサによる間接計測とが可能であり、空調機に既存のセンサが利用される。このため、コストが低減される。
【００２８】
第９発明に係る制御装置では、ブレーカによる遮断が防止されるので、空調機の不要な停止が防止され運転が安定する。
【発明を実施するための最良の形態】
【００２９】
〔第１実施形態〕
＜空調機の構成＞
図１は、空調機の構成図である。空調機１は、ビル用のマルチタイプの空気調和装置であって、１つ又は複数の室外機２に対して複数の室内機３が並列に接続され、冷媒が流通できるように、インバータ圧縮機１１、定容量圧縮機１１１、四路切換弁１２、室外熱交換器１３、室外膨張弁１４および室内膨張弁１５、さらに室内熱交換器１６などの機器が接続されて冷媒回路１０が形成されている。インバータ圧縮機１１は、インバータによる回転数制御によって運転され容量が可変である。定容量圧縮機１１１は、オンオフ制御によって運転され定容量である。
【００３０】
室外熱交換器１３の近傍には、室外ファン４４が設けられており、冷媒は室外ファン４４によって発生する空気流と熱交換を行なう。室内熱交換器１６の近傍には、室内ファン４５が設けられており、冷媒は室内ファン４５によって発生する空気流と熱交換を行なう。
【００３１】
高圧センサ４６は、圧縮機１１，１１１の吐出管側に設けられており、冷媒回路１０の高圧側圧力を検出する。低圧センサ４７は、圧縮機１１，１１１の吸入管側に設けられており、冷媒回路１０の低圧側圧力を検出する。
【００３２】
制御装置４は、空調機１の高効率運転を達成するために、圧縮機１１，１１１、室外膨張弁１４および室内膨張弁１５を制御する。また、制御装置４は、各種センサによって計測された値から制御値を演算するため、マイコン５とメモリ６を搭載している。
【００３３】
＜空調機の動作＞
（冷房運転）
冷房運転時において、四路切換弁１２は、図１の実線で示すように接続され、圧縮機１１，１１１と室外熱交換器１３とが連通し、室外熱交換器１３および室内熱交換器１６は、それぞれ放熱器および蒸発器として機能する。すなわち、圧縮機１１，１１１から吐出された高温・高圧の冷媒が室外熱交換器１３に導入され、放熱し温度が低下して行く。室外熱交換器１３を経て中温・高圧になった冷媒は室内膨張弁１５で減圧され、低温・低圧の二相冷媒となり室内熱交換器１６に導入される。ここで室内空気と熱交換が行われた後、再び圧縮機１１，１１１に吸入される。
【００３４】
（暖房運転）
一方、暖房運転時において、四路切換弁１２は、図１の点線で示すように接続され、圧縮機１１，１１１と室内熱交換器１６とが連通し、室内熱交換器１６および室外熱交換器１３はそれぞれ放熱器および蒸発器として機能する。すなわち、圧縮機１１，１１１より吐出された高温・高圧の冷媒が室内熱交換器１６に導入され、室内空気と熱交換して温度が低下し、中温・高圧の状態になる。その後冷媒は配管を通過し、室外膨張弁１４で減圧されて室外熱交換器１３に導入される。ここで室外空気と熱交換が行われ、再び圧縮機１１，１１１に吸入される。
【００３５】
＜制御装置＞
図２は、本発明の第１実施形態に係る制御装置の電気回路図である。制御装置４では、交流電源７の出力を直流に変換するため、交流電源７のＲ相、Ｓ相およびＴ相が、コンバータ８に接続されている。インバータ９は、コンバータ８から出力される直流を、任意の周波数の交流に変換し、インバータ圧縮機１１のモータに供給する。インバータ９は、ドライブ回路４２によって駆動され、ドライブ回路４２はマイコン５によって制御されている。
【００３６】
また、マイコン５は、インバータ電流検出回路４１と抵抗器９１を介してインバータ９に流れる電流を監視する。なお、抵抗器９１は、インバータ９と直列に接続されている。
【００３７】
本実施形態では、交流電源７とコンバータ８との間にブレーカ７１が設置されており、室外機２の総消費電流がブレーカ７１の作動値を超過したときに、交流電源７から制御装置４への電源供給が遮断される。ブレーカ７１内には、電流センサ（図示せず）が内蔵されており、その電流センサの検出値はマイコン５に入力されている。
【００３８】
＜総消費電流の予測制御＞
ブレーカ７１は、短絡による過電流に反応して動作するものであるが、インバータ圧縮機１１の運転周波数を上昇させたときに作動する可能性もある。空調機１としては、短絡のような致命的な故障でない限り、停止させずに運転を継続する方が好ましい。
【００３９】
そこで、本実施形態では、インバータ圧縮機１１の運転周波数を上昇させる前に、運転周波数上昇後の総消費電流を予測して、運転周波数の上昇が可能か否かを判定している。以下図面を参照しながら説明する。
【００４０】
図３は、総消費電流の予測制御のフローチャートである。ステップＳ１で、マイコン５は、電流センサを介して現在の総消費電流Ｑを検出する。
【００４１】
ステップＳ２で、マイコン５は、総消費電流Ｑが許容値未満であるか否かを判定する。この許容値は、ブレーカ作動値よりも低い値に設定されている。ステップＳ２で、Ｙｅｓと判定した場合はステップＳ３へ進む。なお、ステップＳ２でＮｏと判定した場合は、ステップＳ７へ進み、インバータ圧縮機１１の運転周波数を低減し、総消費電流Ｑを減少させる。
【００４２】
ステップＳ３で、マイコン５は、インバータ圧縮機１１の運転周波数の上昇が必要か否かを判定する。ステップＳ３で、Ｙｅｓと判定し場合は、ステップＳ４へ進む。なお、ステップＳ３でＮｏと判定した場合は、ステップＳ１へ戻る。
【００４３】
ステップＳ４で、マイコン５は、インバータ圧縮機１１の運転周波数上昇後の総消費電流の予測値Ｑｃを算出する。なお、総消費電流の予測値Ｑｃを算出するために、メモリ６には運転周波数の上昇による冷媒状態の特性値変化量が予め記憶されている。具体的には、高圧側圧力の変化量、低圧側圧力の変化量および過熱度の変化量が記憶されており、マイコン５は、これら冷媒状態の特性値変化量から電流変化量を算出し、ステップＳ１で検出した総消費電流Ｑに加算して予測値Ｑｃを算出する。
【００４４】
ステップＳ５で、マイコン５は、予測値Ｑｃがブレーカ作動値未満であるか否かを判定する。ステップＳ５で、Ｙｅｓと判定した場合は、ステップＳ６へ進む。
【００４５】
ステップＳ６で、マイコン５は、インバータ圧縮機１１の運転周波数の上昇を許可し、ステップＳ１へ戻る。
【００４６】
なお、ステップＳ５でＮｏと判定した場合は、ステップＳ８へ進み、インバータ圧縮機１１の運転周波数の上昇を禁止する。
【００４７】
＜変形例＞
ステップＳ１では、室外機２の総消費電流を電流サンサで実測しているが、この種の電流センサはホールＩＣを利用した高価な部品であるためコスト高の要因となる。そこで、総消費電流を算出することによって低コスト化を実現することができる。
【００４８】
図４は、第１実施形態の変形例における総消費電流の予測制御のフローチャートである。ステップＳ１ａでは、室外ファン４４の電流Ｑｆが検出される。ステップＳ１ｂでは、インバータ圧縮機１１の電流Ｑｉが検出される。ステップＳ１ｃでは、総消費電流Ｑが算出される。総消費電流Ｑは、ファン電流Ｑｆと、圧縮機電流Ｑｉと、他の制御機器に流れる電流αとの合計である。ステップＳ２以降の制御は、第１実施形態と同様であるので説明は省略する。
【００４９】
＜第１実施形態の特徴＞
（１）
この制御装置４では、マイコン５が、インバータ圧縮機１１の運転周波数を上昇させる際に、運転周波数を上昇させた場合の空調機１における総消費電流の予測値を演算する。
【００５０】
この制御装置では、総消費電流の予測値がブレーカ作動値を超える場合は運転周波数の上昇が禁止される。このため、不必要なブレーカ動作が防止され、空調機１の運転が安定する。
【００５１】
（２）
この制御装置４では、マイコン５が、冷媒状態の特性値からインバータ電流を演算するので、総消費電流の予測値の精度が高まり、運転周波数の上昇の許可、不許可が正しく決定される。なお、冷媒状態の特性値である高圧側圧力、低圧側圧力は、空調機１に既存の高圧センサ４６、低圧センサ４７によって直接計測されているので、余分な設備が不要となりコストが低減される。
【００５２】
〔第２実施形態〕
第２実施形態では、定容量圧縮機１１１を起動させる前に、起動後の総消費電流を予測して、起動が可能か否かを判定している。以下図面を参照しながら説明する。
【００５３】
＜総消費電流の予測制御＞
図５は、総消費電流の予測制御のフローチャートである。ステップＳ１１で、マイコン５は、電流センサを介して現在の総消費電流Ｑを検出する。
【００５４】
ステップＳ１２で、マイコン５は、総消費電流Ｑが許容値未満であるか否かを判定する。許容値は、ブレーカ作動値より低い値に設定されている。ステップＳ１２で、Ｙｅｓと判定した場合はステップＳ１３へ進む。なお、ステップＳ１２でＮｏと判定した場合は、ステップＳ１７へ進み、インバータ圧縮機１１の運転周波数を低減し、総消費電流Ｑを減少させる。
【００５５】
ステップＳ１３で、マイコン５は、定容量圧縮機１１１の起動が必要か否かを判定する。ステップＳ１３で、Ｙｅｓと判定し場合は、ステップＳ１４へ進む。なお、ステップＳ１３でＮｏと判定した場合は、ステップＳ１１へ戻る。
【００５６】
ステップＳ１４で、マイコン５は、定容量圧縮機１１１の起動後の総消費電流の予測値Ｑｃを算出する。なお、総消費電流の予測値Ｑｃを算出するために、メモリ６には定容量圧縮機１１１の起動による冷媒状態の特性値変化量が予め記憶されている。具体的には、高圧側圧力の変化量、低圧側圧力の変化量および過熱度の変化量が記憶されており、マイコン５は、これら冷媒状態の特性値変化量から電流変化量を算出し、ステップＳ１１で検出した総消費電流Ｑに加算して予測値Ｑｃを算出する。
【００５７】
ステップＳ１５で、マイコン５は、予測値Ｑｃがブレーカ作動値未満であるか否かを判定する。ステップＳ１５で、Ｙｅｓと判定した場合は、ステップＳ１６へ進む。
【００５８】
ステップＳ１６で、マイコン５は、定容量圧縮機１１１の起動を許可し、ステップＳ１へ戻る。
【００５９】
なお、ステップＳ１５でＮｏと判定した場合は、ステップＳ１８へ進み、定容量圧縮機１１１の起動を禁止する。
【００６０】
＜第２実施形態の特徴＞
この制御装置４では、マイコン５は、定容量圧縮機１１１を起動する際に、空調機１における総消費電流の予測値を演算する。この制御装置では、総消費電流の予測値がブレーカ作動値を超える場合は、定容量圧縮機の起動が禁止される。このため、不必要なブレーカ動作が防止され、空調機の運転が安定する。
【００６１】
〔第３実施形態〕
第３実施形態では、２つの定容量圧縮機を搭載した空調機を想定しており、第１の定容量圧縮機１１１の運転中に第２の定容量圧縮機（図示せず）を起動させる際に、起動後の総消費電流を予測して、起動が可能か否かを判定している。以下図面を参照しながら説明する。
【００６２】
＜総消費電流の予測制御＞
図６は、総消費電流の予測制御のフローチャートである。ステップＳ２１で、マイコン５は、電流センサを介して現在の総消費電流Ｑを検出する。
【００６３】
ステップＳ２２で、マイコン５は、総消費電流Ｑが許容値未満であるか否かを判定する。許容値は、ブレーカ作動値より低い値に設定されている。ステップＳ２２で、Ｙｅｓと判定した場合はステップＳ２３へ進む。なお、ステップＳ２２でＮｏと判定した場合は、ステップＳ２７へ進み、第１の定容量圧縮機１１１を停止し、総消費電流Ｑを減少させる。
【００６４】
ステップＳ２３で、マイコン５は、第２の定容量圧縮機の起動が必要か否かを判定する。ステップＳ２３で、Ｙｅｓと判定し場合は、ステップＳ２４へ進む。なお、ステップＳ２３でＮｏと判定した場合は、ステップＳ２１へ戻る。
【００６５】
ステップＳ２４で、マイコン５は、第２の定容量圧縮機の起動後の総消費電流の予測値Ｑｃを算出する。なお、総消費電流の予測値Ｑｃを算出するために、メモリ６には、第２の定容量圧縮機の起動による冷媒状態の特性値変化量が予め記憶されている。具体的には、高圧側圧力の変化量、低圧側圧力の変化量および過熱度の変化量が記憶されており、マイコン５は、これら冷媒状態の特性値変化量から電流変化量を算出し、ステップＳ２１で検出した総消費電流Ｑに加算して予測値Ｑｃを算出する。
【００６６】
ステップＳ２５で、マイコン５は、予測値Ｑｃがブレーカ作動値未満であるか否かを判定する。ステップＳ２５で、Ｙｅｓと判定した場合は、ステップＳ２６へ進む。
【００６７】
ステップＳ２６で、マイコン５は、第２の定容量圧縮機の起動を許可し、ステップＳ２へ戻る。
【００６８】
なお、ステップＳ２５でＮｏと判定した場合は、ステップＳ２８へ進み、第２の定容量圧縮機の起動を禁止する。
【００６９】
＜第３実施形態の特徴＞
この制御装置４では、マイコン５は、２つの定容量圧縮機１１１を含む冷媒回路の冷媒状態に基づいて空調機を制御する。また、マイコン５は、第１の定容量圧縮機１１１が運転されているときに第２の定容量圧縮機を起動させる場合、空調機１における総消費電流の予測値を演算し、その予測値がブレーカ作動値を超える場合は、他の定容量圧縮機の起動が禁止される。このため、不必要なブレーカ動作が防止され、空調機の運転が安定する。
【００７０】
〔他の実施形態〕
以上、本発明について説明したが、具体的な構成は、上記の各実施形態に限られるものではなく、発明の要旨を逸脱しない範囲で変更可能である。
【００７１】
例えば、上記の各実施形態では、特性値変化量を予めメモリ６に記憶させているが、予め関係式を設定して演算によって求めることも可能である。
【産業上の利用可能性】
【００７２】
以上のように、本発明に係る制御装置は、総消費電流を予測してその電流消費を抑制するものであり、例えば、ブレーカ容量を超過する前に機器を制御することが必要とされる分野で有用である。
【図面の簡単な説明】
【００７３】
【図１】空調機の構成図。
【図２】本発明の第１実施形態に係る制御装置の電気回路図。
【図３】第１実施形態における総消費電流の予測制御のフローチャート。
【図４】第１実施形態の変形例における総消費電流の予測制御のフローチャート。
【図５】第２実施形態における総消費電流の予測制御のフローチャート。
【図６】第３実施形態における総消費電流の予測制御のフローチャート。
【符号の説明】
【００７４】
１  空調機
４  制御装置
５  マイコン
６  メモリ
１０  冷媒回路
１１  インバータ圧縮機
１１１  定容量圧縮機
【図１】
2008128551.tif 000003
【図２】
2008128551.tif 000004
【図３】
2008128551.tif 000005
【図４】
2008128551.tif 000006
【図５】
2008128551.tif 000007
【図６】
2008128551.tif 000008